(57)【要約】【課題】水濡れ時にも滑り難さを有すると共に握持感の良い釣竿を提供する。【解決手段】滑り止め部材１４を釣竿の適宜位置１０に設けており、該滑り止め部材は釣竿側が柔軟な材料の層１４Ｊであり、該柔軟な材料よりも硬質の材料からなる多数の小さな部材１４Ｈを前記柔軟層１４Ｊの外側に配設するよう構成する。【選択図】　　　　図１
2004024013.tif 000002
【特許請求の範囲】
【請求項１】
滑り止め部材を釣竿の適宜位置に設けており、該滑り止め部材は釣竿側が柔軟な材料の層であり、該柔軟な材料よりも硬質の材料からなる多数の小さな部材を前記柔軟層の外側に配設したことを特徴とする釣竿。
【請求項２】
前記小さな部材の多くが植毛状に設けられた細長体であり、その大部分の長さはその太さ寸法の２０倍以下である請求項１記載の釣竿。
【請求項３】
前記小さな部材の長さが２ｍｍ以下である請求項２記載の釣竿。
【請求項４】
前記小さな部材は前記柔軟層に対して接着剤によって保持されている請求項１〜３の何れか１記載の釣竿。
【請求項５】
前記請求項１から４までの何れか１記載の特徴を有する滑り止め部材、又はより広いシート状滑り止め部材を釣竿とセットにしていることを特徴とする滑り止め部材と釣竿との組合せ。
【発明の詳細な説明】
【０００１】
【発明の属する技術分野】
本発明は、握り部等に滑り止め部材を設けた釣竿並びにそのための滑り止め部材と釣竿との組合せに関する。
【０００２】
【従来の技術】
従来からグリップ性を向上させるために、握り部にゴム製のグリップを設けて滑り難くしたり、竿管表面に小さな凹凸を設けて滑り止めとしたりしている。
【０００３】
【発明が解決しようとする課題】
然しながら、水を被った場合にゴム製グリップでは表面に水膜ができ、ゴムとしての滑り難さを維持し難い。また、竿管表面に小さな凹凸を設けた場合は、その凹凸差が大きければ握持した場合に滑り難いが掌が痛くなり、凹凸が小さければ、滑り難さが低減する。
依って本発明は、水濡れ時にも滑り難さを有すると共に握持感の良い釣竿の提供を目的とする。
【０００４】
【課題を解決するための手段】
上記目的に鑑みて請求項１では、滑り止め部材を釣竿の適宜位置に設けており、該滑り止め部材は釣竿側が柔軟な材料の層であり、該柔軟な材料よりも硬質の材料からなる多数の小さな部材を前記柔軟層の外側に配設したことを特徴とする釣竿を提供する。
柔軟な材料としては、ゴム、エラストマー樹脂、ＥＶＡ、発泡性樹脂、コルク等がある。硬質材料としては、ナイロン、ポリエステル、レーヨン、アクリル、ビニロン等の合成樹脂材のモノフィラメントや、合成樹脂材からなるモノフィラメント以外の形態等がある。
滑り止め部材は柔軟層を有するため、握持感がよい。また、表面側には硬質な材料を配設しているため、手で握持する等した場合に、その多数の小さな硬質材料の存在で滑り止め作用がなされると共に、柔軟層との組合せにより手に接触するのがより硬質な材料である割りに、痛さが緩和され、握持感が向上する。水に濡れた場合にも、その水は多数の小さな部材間の隙間に落ちて流れ、滑り止め作用が維持され易い。仮に、水が多数の小さな部材間の隙間から溢れる場合でも、より硬質な材料の存在が掌や指等に作用して、ウエットな感じが減殺されつつ滑り止め作用も低下し難い。
【０００５】
請求項２では、前記小さな部材の多くが植毛状に設けられた細長体であり、その大部分の長さはその太さ寸法の２０倍以下である請求項１記載の釣竿を提供する。
柔軟層の材料よりも硬質とはいっても、植毛状細長体の場合は、細長過ぎれば撓み易くて柔軟になり、滑り止め作用が消失してしまう。長さが太さの２０倍以下であれば、滑り止め作用を維持し易い。好ましくは１５倍以下、更に好ましくは１０倍以下がよい。
【０００６】
請求項３では、前記小さな部材の長さが２ｍｍ以下である請求項２記載の釣竿を提供する。
２ｍｍ以下であれば、柔軟層と共に釣竿表面に設けても握持等操作し易い。好ましくは、０．１ｍｍ〜１ｍｍである。
【０００７】
請求項４では、前記小さな部材は前記柔軟層に対して接着剤によって保持されている請求項１〜３の何れか１記載の釣竿を提供する。
柔軟層の上に接着剤を塗布し、これが乾燥する前に、静電塗装の原理を使用した、例えば静電植毛等の方法により、多数の小さな部材を吹き付ける等することによって容易に滑り止め部材を製造できる。
【０００８】
請求項５では、前記請求項１から４までの何れか１記載の特徴を有する滑り止め部材、又はより広いシート状滑り止め部材を釣竿とセットにしていることを特徴とする滑り止め部材と釣竿との組合せを提供する。
セットにしていれば、そのまま、或いは広いシート状滑り止め部材を適宜な形状にカットして、ユーザーの望む部位に設けることができる。
【０００９】
【発明の実施の形態】
以下、本発明を添付図面に示す実施形態例に基づき、更に詳細に説明する。
図１は本発明に係る釣竿の握り部の要部拡大図である。竿管１０は、エポキシ樹脂等のマトリックス樹脂を炭素繊維等の強化繊維で強化した繊維強化樹脂製である。この竿管の握り部表面に滑り止め部材１４を装着させている。この形態例では、滑り止め部材１４は竿管１０に対して着脱可能に装着しているが、例えば接着剤によって着脱不可能な固定としてもよい。この例では、特別な粘着シート１２を介在させている。
【００１０】
粘着シート１２は、基盤シート１２Ｓの一側には接着剤１２Ａを塗布しており、他側には粘着剤１２Ｂを塗布している。粘着シート１２の接着剤側を滑り止め部材の裏面（装着時の竿管側の面）に貼り付けて滑り止め部材１４と一体化させ、粘着剤側を竿管表面に貼着させる。こうして竿管の適宜部位、この例では握り部に滑り止め部材１４を設けている。
【００１１】
上記滑り止め部材１４は、竿管側が柔軟な材料の層１４Ｊであって、その表面側に、該柔軟層の材料よりも硬質な材料であって、小さな部材１４Ｈを多数配設している。この例では小さな部材１４Ｈは植毛状の細長体である。この小さな部材を柔軟層１４Ｊの表面に保持するには接着剤１４Ｓを使用している。溶着や圧着等によって保持してもよい。更に、植毛の上から樹脂等をコーティングすることにより保持力を強化してもよい。接着剤を使用する場合は、それを柔軟層１４Ｊの表面に塗布し、それが乾燥する前に、ノズル等を介し、圧縮空気によって多数の小さな部材を吹き付ければよい。細長体１４Ｈは、ナイロン、ポリエステル、レーヨン、アクリル、ビニロン等の合成樹脂材のモノフィラメント形態等がある。接着剤の種類としては、ゴム系、エポキシ系、シアノアクリレート系、塩化ビニール系等を使用できる。
【００１２】
図２は上記細長体の模式的拡大図であり、上記の如き合成樹脂材で形成した細長体の大部分の長手方向長さＨは、太さ方向の太さ寸法Ｄに対する比率を２０倍以下に設定すると、滑り止め部材１４として使用した場合に、握持されて多数の細長体全体では幾分か撓んでも大きく倒れることが防止でき、各頂部１４ＨＴが外方向を向いていて掌に引っ掛り、滑り難い。引っ掛るといっても、上記の如き合成樹脂材であるため、幾分かは撓み、心地よい引っ掛り感となる。
【００１３】
この引っ掛り感を例えれば、目の荒くないサンドペーパーを軽く押さえた感じであり、痛みを感じる程ではない。従って、握持感がよくて滑り止め作用が高い。滑り止め作用を高くするには、頂部１４ＨＴに角縁部１４Ｋが存在することであり、例えば長いモノフィラメントを、適宜長さに切断すれば、こうした角縁部が存在する。然しながら、頂部を丸めて曲面状に形成して角縁部を殆ど無くしてもよい。角縁部が殆ど無くなれば、引っ掛りの程度が低下するが、肌触り感が向上する。
【００１４】
更には、柔軟層１４Ｊが下側に存在するため、握持等した場合の手の感触は、直接触れているのがより硬質な材料であるが、滑り止め作用の割りに痛さが緩和されて心地よい。また、上記２０倍以下は、１５倍以下が好ましく、更には１０倍以下が好ましく、これらの場合の下限は２倍である。細長体の長さＨは２ｍｍ以下であって、太さＤは０．１ｍｍ以下が好ましい。長さは更に好ましくは１ｍｍ以下であり、下限は０．１ｍｍ以上が好ましい。
【００１５】
以上のように植毛状細長体の存在で、水に濡れた場合にも、その水は多数の細長体間の隙間に落ちて流れ、滑り止め作用が維持され易い。仮に、水が多数の細長体間の隙間から溢れる場合でも、植毛状細長体の頂部の存在を掌や指等で感じてウエットな感じが防止され、滑り止め作用も低下し難い。
【００１６】
以上では、滑り止め部材１４を接着剤等によって竿管１０に貼着した例を説明したが、図３では、竿管の表面部に凹部１０Ｈを設けて、滑り止め部材の柔軟な材料の層１４Ｊをはめ込む状態にして接着剤等によって固定等した形態を例示している。こうすると、滑り止め部材が竿管から剥離し難くなる。
【００１７】
図４では、竿管１０の長手方向に沿って適数本の溝状凹部１０Ｈ’を設けておき、滑り止め部材の柔軟な材料の層１４Ｊの裏面側には、この溝状凹部に対応した凸条を形成しておき、これらを合致させた状態にして、接着剤等によって固定等した形態を例示している。こうすると、滑り止め部材が竿管から剥離し難くなる。また、この柔軟な材料の層１４Ｊは、裏面が竿管１０の表面曲率に沿った形状をし、且つ、周縁部が薄く、中央部が圧肉となっていて、周縁が指先等に当り難くて剥れ難くなっている。これは後述の図７に示す柔軟な材料の層１４Ｊと同様に、材料を金型に流し込んで成形するとよい。
【００１８】
図５は、竿管等の釣竿に設ける滑り止め部材１４の角部を丸めた形状にした形態を図示している。こうすることで手の指先等が角部に引っ掛かることが防止でき、剥れ難くできる。
図６は、滑り止め部材の柔軟な材料の層１４Ｊの周縁面１４ＪＳを、貼着時に釣竿面から遠くなる外側が縮径する方向の傾斜状に形成した形態を示す。これにより、手の指先等が角部に引っ掛かることが防止でき、剥れ難くできる。
【００１９】
図８は図７の滑り止め部材１４の矢視線Ｈ−Ｈによる断面図である。柔軟な材料の層１４Ｊの裏面１４ＪＵは、装着すべき釣竿表面の曲率に沿った形状をし、周縁部が薄く形成されている。従って、貼着した後、剥れ難い。また、柔軟な材料の層１４Ｊの表側には釣竿の長手方向に沿った凸条１４ＪＴが形成されており、握り部に設けると滑り止め作用が更に向上する。
【００２０】
以上は、滑り止め部材を釣竿の握り部に適用した例であるが、以下の如く、種々の部位に適用することもできる。図９は竿管の外側にパイプ状リール装着部２０を設けて、固定フード２４と移動フード２２を設けている。移動フードを回動させるナット部材２３の外表面に滑り止め部材を適用している。また、固定フードに近い側のパイプ状本体部２６の表面にも適用している。ナット部材を回動させる指先を滑り難くできたり、リール装着部を握持した場合に滑り難くできる。
【００２１】
図１０は板状リール装着部２０’を設けた付近の釣竿２６’表面に適用している。リール装着部を握持した場合に滑り難くできる。板状リールシートの移動フード２２’の指押し部表面に適用することもでき、指先の滑り止めになる。
図１１は、竿管に被着させる部品としての筒状リール装着体２０”の側部表面２６”に適用している。リール装着部を握持した場合に、その手の指等を滑り難くできる。
図１２は板状リール装着部２０’を設けた側とは逆側に設けたトリガー３０の表面にとその近くの釣竿表面に適用しており、指等が滑り難くできる。また、釣竿後端部に設けた舌形状の腕支持部材３２の上側所定表面部３３にも適用している。当接した腕との摩擦を大きくでき、外れ難くできる。
【００２２】
図１３は尻栓４０の外周部４１に適用している。尻栓着脱時の操作性が向上する。
図１４は大径竿管１０’の前側に、小径竿管１０”を並継式に継ぎ合わせる例であり、大径竿管の前端部近くの外周１０Ａと、小径竿管の継合部を除いた後端部近くの外周１０Ｂに適用している。このように継合式釣竿に適用すれば、継ぎ合わせ時の手の滑り止めがなされ、例え竿が濡れていても抜き差しし易い。
【００２３】
以上では、滑り止め部材を釣竿に適用して製品としているが、販売時には釣竿には滑り止め部材を設けていないか、或いは、適宜箇所には設けていても、他の箇所に適用の余地がある場合、図１や図３〜図８に図示した構造等の滑り止め部材、又は、それを広くしたシートを釣竿とセットにして販売することもできる。
広いシートの場合は適宜カットして使用する。こうした場合、粘着シート１２を貼着している形態も可能であり、貼着していない形態も可能である。
【００２４】
以上では、多数の小さな部材が植毛状細長体の場合を説明したが、本発明では、細長体でなく、例えば、サンドペーパーに使用の粒子の如き形状サイズの小さな部材でもよい。これらに使用できる材料としては、スクリーン印刷に使用する機能性インキ、その他合成樹脂材がある。
【００２５】
以上の説明において、各説明事項を単独で説明していても、特に他の説明事項との組合せに矛盾を生じない限り、夫々の説明事項を任意に組み合わせた形態が存在する。
【００２６】
【発明の効果】
以上の説明から明らかなように本発明によれば、水濡れ時にも滑り難さを有すると共に握持感の良い釣竿の提供が可能となる。
【図面の簡単な説明】
【図１】図１は本発明に係る釣竿の要部拡大断面図である。
【図２】図２は図１に使用の要素拡大図である。
【図３】図３は滑り止め部材装着の他の形態を示す図である。
【図４】図４は滑り止め部材装着の他の形態を示す図である。
【図５】図５は滑り止め部材の他の形態を示す図である。
【図６】図６は滑り止め部材の他の形態を示す図である。
【図７】図７は滑り止め部材の他の形態を示す図である。
【図８】図８は図７の矢視線Ｈ−Ｈによる断面図である。
【図９】図９は適用例の図である。
【図１０】図１０は適用例の図である。
【図１１】図１１は適用例の図である。
【図１２】図１２は適用例の図である。
【図１３】図１３は適用例の図である。
【図１４】図１４は適用例の図である。
【符号の説明】
１０　　　　　　　　竿管
１２　　　　　　　　粘着シート
１４　　　　　　　　滑り止め部材
１４Ｊ　　　　　　　柔軟な材料の層
１４Ｈ　　　　　　　植毛状細長体
１４Ｓ　　　　　　　接着剤
【図１】
2004024013.tif 000003
【図２】
2004024013.tif 000004
【図３】
2004024013.tif 000005
【図４】
2004024013.tif 000006
【図５】
2004024013.tif 000007
【図６】
2004024013.tif 000008
【図７】
2004024013.tif 000009
【図８】
2004024013.tif 000010
【図９】
2004024013.tif 000011
【図１０】
2004024013.tif 000012
【図１１】
2004024013.tif 000013
【図１２】
2004024013.tif 000014
【図１３】
2004024013.tif 000015
【図１４】
2004024013.tif 000016